(57)【要約】【課題】  本発明は、ボディスーツおいて、「局部的当て布」方式による、限定された局部的な体型補整の欠陥を解決し、上半身部の全体的な体型補整の効果を現出することを目標とする。【解決手段】  ボディスーツ本体裏側部分の正面・背面・左右両側面に、「連続接合」した適当な幅員・形状の「当て布」（バンデージ・パッチと称する）を縫合する。  そのパッチは、左右一対から成り、ヒップ下端中央部を起点にして、ヒップ左右両側・腰部外側・腹部前面・脇腹部・背部・バスト下端部・バスト背面部の順に、途中、腹部前面部にて交叉しつつ、螺旋状に巻き上がる様縫合される。  この間、パッチによる下垂贅肉の螺旋状巻き上げ効果により、上半身の全体的な体型補整が実現される。【選択図】  図１
2005179873.tif 000002
【特許請求の範囲】
【請求項１】
ボディスーツの本体裏側部分で、前面・背面・左右両側部分に、「連続接合」した適当な幅員・形状の、「当て布」たる、「バンデージ（ｂａｎｄａｇｅ）方式パッチ（ｐａｔｃｈ）〔以下、バンデージ・パッチと称する〕を、縫合させて、本体背面部のヒップ下端中央部から左右方向へ出発し（１ａ・１ｂ）、それぞれ、左右腰部外側上部を経由して、本体腹部前面より両脇腹部分へ（２ａ・２ｂ）、さらに本体腹部背面部（３ａ・３ｂ）・ヒップ周辺部（３ａ’・３ｂ’＝ヒップ自体には、パンチが当たらず、解放状態となる）へ、そして本体腹部背面部からバスト下端部分（４ａ・４ｂ：５ａ・５ｂ：６ａ・６ｂ）へ、さらに本体バスト背面部（７ａ・７ｂ）へと、「パッチ」を「連結接合」させながら、螺旋状に贅肉を巻き上げていく、ボディスーツ（図１乃至図１０）。
【請求項２】
請求項１記載のボディスーツにおいて、同ボディスーツ本体生地およびバンデージ・パッチの生地が、それぞれ伸縮性のある生地（例えば、パワーネット・その他）を使用して、ヒップ下端中央部から、左右腰部外側上部を経由して、本体腹部前面・両脇腹・腹部背面部・バスト下端部・バスト背面部分へと、順次各贅肉巻き上げ効果を助長させることを特徴とするボディスーツ。
【請求項３】
請求項１記載のボディスーツにおいて、ヒップ周囲部・左右腰部外側上部・本体腹部前面・両脇腹・本体腹部背面・バスト下端部・バスト背面部等に縫合する、バンデージ・パッチの長さ・幅員・形状・使用枚数（ダブルパッチかシングルパッチか）は、贅肉の巻き上げ効果を促進させる目的と、ボディスーツ着用時圧迫感とを勘案して、使用部位のパッチの寸法・形状・使用枚数を、任意に決定し、ヒップ周囲に、パッチ部分は当たるが、ヒップ自体には、パッチが当たらず、パッチから解放状態となる形状（図３・図４）のボディスーツ。
【請求項４】
請求項１乃至３記載のボディスーツにおいて、ヒップ本体部分は、パッチが当たらず（図３・図４）、解放状態とする場合、ボディスーツ本体のヒップ部分を襞状態とし（図１３）、さらに当該ヒップ部分に、１本もしくは数本の細いゴム紐ないし伸縮性に富む素材を、上下方向に縫合し、ボディスーツ本体の素材以上に、伸縮性を具有させることを特徴とするボディスーツ。
【請求項５】
請求項１乃至４記載のボディスーツのごとく、ヒップ・腰部上部・腹部前面部・脇腹・腹部背面部・バスト下端部・バスト背面部等の上半身部の下垂贅肉を、バンデージ・パッチ方式の「連続した当て布」縫合により、下部から上部へ、螺旋状巻き上げ圧迫効果で巻き上げる、上半身部体型補整の方法。
【発明の詳細な説明】
【技術分野】
【０００１】  本発明は、女性用下着の一種であるボディスーツに関するものであり、特にボディスーツの本体裏側部分に、「連続した当て布」である、「バンデージ〈ｂａｎｄａｇｅ〉」方式パッチ〈ｐａｔｃｈ〉」を縫合し、同パッチによる、上半身部（ヒップ・腰上部・腹部前面・脇腹・腹部背面部・バスト下端部・バスト背面部等＝以下、上半身部と称する）の下垂贅肉を巻き上げる効果により、上半身部の全体的体型補整を計る衣料に関するものである。
【背景技術】
【０００２】  従来から、ボディスーツは、ガードル・ウエストニッパ等と同様、体型補整機能を付与して使用される、女性用下着である。
そして、ボディスーツにおいては、体型補整のため、贅肉を押さえ込んで、ボディラインを補整したい部分に、適宜「弾力性のある当て布」を、ボディスーツ本体生地の裏側から当てがうことが、最も一般的に行われている。【０００３】  そして、上記「当て布」は、従来例によると、贅肉を押さえ込む部分に、局部的「当て布」を使用することが、一般的に行われてきている〔図１４・図１５・図１６〕。
しかし、この様な従来例の「当て布」方式によると、限定された局部的部分の体型補整に終わり、例えばボディスーツの場合、上半身部の「全体的な体型補整」の効果は、期待できない点に欠点があった。【０００４】  しかも、従来例による、「局部的当て布」方式によると、当該「当て布」で、贅肉は主として、上部から圧迫されるため、それが「当て布」の両側へ逃げることによる、体型補整が行われるのみとなる。
この点でも、体型補整効果は、不充分となる。
【特許文献１】特開２００１−２４８０８４号公報
【特許文献２】特開平７−２２９００２号公報
【発明の開示】
【発明が解決しようとする課題】
【０００５】  従前例によるボディスーツにおいては、体型補整機能を付与するため、贅肉を押さえ込む「弾力性ある当て布」を使用するが、その使用箇所は、ボディラインを補整したい限定的な局部に、ボディスーツ本体生地の裏側から、「当て布」を縫合する方法で行われるのが、一般的である〔図１４乃至１６〕。【０００６】  この様な、「局部的当て布」方式によると、当該「当て布」によって、贅肉は、上部から圧迫されるため、「当て布」の両側に移動することにより、局部的な体型補整は行われるが、その効力は不充分なものとなる。【０００７】  また、上記「局部的当て布」方式によると、限定された局部的な体型補整が行われるだけで、上半身部の全体的な体型補整の効果は生じない欠点がある。【０００８】  本発明は、従前例による「局部的当て布」方式の欠陥を解決し、ボディスーツにおいて、上半身部の全体的な体型補整の効果が、格段に増進される。【０００９】  先ず、本発明ボディスーツは、従前例による「局部的当て布」方式と異なり、バンデージ〈ｂａｎｄａｇｅ〉方式パッチ〈ｐａｔｃｈ〉を、ボディスーツの本体生地裏側へ、左右対称型で、下部から上部へ、螺旋状に巻き上げるものである〔図６乃至図１０〕。【００１０】  即ち、同バンデージ・パッチは、ヒップ下端中央部から左右方向に始まり〔図３・図４−１ａ・１ｂ〕、腰部外側上部を経由して、本体腹部前面部・両脇腹・腹部背面部・バスト下端部・バスト背面部へと、順次、左右へ螺旋状に巻き上がり、そしてバスト背面中央部まで廻り込んで、左右両パッチが結合する〔図６乃至図１０〕。【００１１】  本発明ボディスーツは、ボディスーツにおいて、下垂贅肉の螺旋式巻き上げ効果が顕著であり、上半身部の全体的な体型補整に著しく役立つものである。
【課題を解決するための手段】
【００１２】  請求項１記載のガードル本体の裏側部分で、上半身部分に、左右対称なバンデージ〈ｂａｎｄａｇｅ〉方式パッチ〈ｐａｔｃｈ〉＝（連続した当て布）を、螺旋状の巻き上げ方式で縫合する。【００１３】  同パッチの立体的巻き上げ形状は、螺旋型であり、右側と左側が、対称型となっている。
左右対称型の同パンチは、下腹部前面では、交叉して、ダブルパッチ状態となり、腹部上部・腹部背面・バスト下端部・背中で、それぞれダブルパッチの状態となる。
ボディスーツ本体およびパッチの生地は、いずれも、一定の弾力性あることが望ましい。【００１４】  請求項２記載のボディスーツは、請求項１記載のボディスーツにおいて、特に、同ボディスーツ本体生地およびバンデージ・パッチの生地が、それぞれ、伸縮性に富んだ生地（例えば、パワーネット・その他）を使用することにより、ヒップ・腰部・腹部・バスト下端部・背中の各贅肉巻き上げの効果を、増大させるものである。【００１５】  バンデージ・パッチによる螺旋方式巻き上げ効果としては、同パッチにより、下垂贅肉を、上方に移動する外、パッチの両側へも若干移動する効果があり、この三方向への贅肉拡散の結果、体型補整が均分化されたものとなり、上半身部ボディラインが、全体的に自然体に近い線を生ずることとなる。【００１６】  請求項３記載のボディスーツは、請求項１と請求項２の場合と同様、螺旋型バンデージ・パッチを使用する場合、同パッチの長さ・幅員・形状・使用枚数を、贅肉の巻き上げ効果を増加させたい部分に対応させ、任意の寸法・形状・使用枚数を採用するが、ヒップの下部は、下垂贅肉を下支えする効果を発揮するよう、凹型に湾曲したカーブ状にパッチを裁断して、ボディスーツ本体に縫合させる。【００１７】  また、ヒップの両側・上部にかけても、そのヒップ周辺の外縁部を、バンデージ・パッチで、囲む様にボディスーツ本体へ縫合させる。【００１８】  つまり、ヒップ周囲の外縁部は、バンデージ・パッチで囲まれるが、ヒップ自体は、バンデージ・パッチでカバーされることなく、解放状態となり、ヒップは、ボディスーツ本体とのみ接触することとなる〔図３・図４〕。【００１９】  請求項４記載のボディスーツは、請求項１乃至請求項３記載のボディスーツにおいて、〔００１６〕乃至〔００１８〕のとおり、ヒップ自体を、バンデージ・パッチでカバーすることなく、解放状態となし、ヒップは、ボディスーツ本体とのみ接触させる。
しかも、ヒップが、ボディスーツ本体と接触する部分は、ボディスーツ本体を襞状態とする。【００２０】  この襞状態は、本ボディスーツにおいて、左右両側のバンデージ・パッチで、螺旋方式により巻き上げてきた下垂贅肉の内、ヒップ部分に集約されてきた贅肉を、吸収する効果を果すこととなる。【００２１】  そして、上記ボディスーツのヒップ襞部分には、１本もしくは数本の細いゴム紐ないし伸縮性に富む素材を、上下方向へボディスーツ本体に縫合させ、襞状態の伸縮をサポートし、さらに、ヒップアップ効果を助長する。
【発明の効果】
【００２２】  本発明バンデージ・パッチ付ボディスーツは、ボディスーツ本体の裏側部分で、前面・背面・左右両側部分に、「連続接合」した適当な幅員・形状の「当て布」である、各バンデージ・パッチを縫合するものである。
そのパッチは、ヒップ下端中央部から左右方向へ始まり、左右腰部外側上部へ巻き上がり、更に、腹部前面中央部方向へ巻き上がり、同腹部前面中央部で、左右両パッチが交叉した後、更に、左右脇腹部分まで巻き上がり、そして腹部背面中央部・バスト下端部・バスト背面部へと、それぞれ巻き上がって、同バスト背面中央部で、左右両パッチが結合する状態となっている、ボディスーツである。【００２３】  伸縮性に富んだ素材生地のバンデージ・パッチによる圧着・巻き上げ効果のため、ヒップ・腰部・腹部・脇腹部・バスト下端部・背中等の下垂贅肉は、パッチの左・右・上方の三方向に拡散・均分化され、同各部の体型補整に著しい効果を示す。
その結果、上半身部の全体的なボディラインが、自然体に近くなり、美的効果を発揮する。【００２４】  なお、本発明バンデージ・パッチ付ボディスーツによると、上半身部の前・背面部・左右両側面部からの、パッチによる巻き上げ効果を発揮するため、胸部・腹部の内臓も、適当の締め付け効果を受け、身の締まる爽快感を味わえる効果がある。
なお、本件発明バンデージ・パッチ付ボディスーツと共に、本発明者が別途特許出願中の、「ガードル（特願２００２−３７３２４１）」を併用すると、全身的体型補整の効果は、より効果的となる。
【発明の実施するための最良の形態】
【００２５】  本発明にかかるバンデージ・パッチ付ボディスーツの最良の実施形態については、本体裏側部分にパッチを「連続接合」して、本体生地に縫合する場合、下腹部前面で、左右両方向からのパッチ巻き上げ行程で交叉する部分のみ、ダブルパッチ状態（本体生地とダブルパッチで、三重構造となる）とする。
他のパッチ巻き上げ行程部分は、シングルパッチ状態（本体生地とシングルパッチで、二重構造となる）とする。
この様な方法を採用することにより、上半身部のパッチ巻き上げ圧力を調節でき、快適なボディスーツ着用感が得られる。
【実施例】
【００２６】  本発明にかかるバンデージ・パッチ付ボディスーツの最良の実施形態について、以下、図面を援用しつつ説明する。
本発明ボディスーツの本体裏側部分に、次のとおり、パッチを「連続接合」して、本体生地に縫合させていく。【００２７】  先ず、本体背面部のヒップ下端中央部から、右側廻りで回転し巻き上げる場合（着用者を基準として右側）、腰部外側上部までパッチ（１ａ）を、本体生地に縫合する。
次に、右腰部外側上部からパッチ（１ａ）に連続接合させて、パッチ（２ａ）を、下腹部前面で、右下から左上方へ向かって、斜めに縫合する。【００２８】  次に左側下腹部からパッチ（２ａ）に連続接合させてパッチ（３ａ’３ａ）を２分割する。
下方部分のパッチ（３ａ’）は、そのまま、左側ヒップの外縁上部から、ヒップ中央下端へ向かって下降した状態で縫合する。
上方部分のパッチ（３ａ）は、そのまま上腹部の背面を、右側脇腹上部に向かって横断させ縫合する。【００２９】  次に、右側脇腹上部からパッチ（３ａ）に連続接合させて、パッチ（４ａ）は、そのまま前面上腹部を横断して、左脇腹上部に至るまで縫合する。
更に、左側脇腹上部からパッチ（４ａ）に連続接合させて、パッチ（５ａ）は、右側脇腹上部まで、上腹部背面を横断させて縫合する。【００３０】  次に、右側脇腹上部からパッチ（５ａ）に連続接合させて、パッチ（６ａ）は、そのままバスト下端部を右側から左側へ横断して接合する。
さらに、バスト下端部左側からパッチ（６ａ）に連続接合させて、パッチ（７ａ）は、そのままバスト背面部を中央部まで縫合し、パッチ（７ｂ）と連続させて、パッチの巻き上げ行程は終了する。【００３１】  これに対し、本体背面部のヒップ下端中央部から、左廻りで回転して巻き上げる場合、左腰部外側上部まで、（１ｂ）を、本体生地に縫合する。
次に、右腰部外側上部からパッチ（１ｂ）に連続接合させて、パッチ（２ｂ）を、下腹部前面で、左下から右上方へ向かって、斜めに縫合し、下腹部前面で、パッチ（２ａ）とパッチ（２ｂ）が交叉し、中央部（２ａ＋２ｂ）で、ダブルパッチの状態となる。【００３２】  次に、右側下腹部から、パッチ（２ｂ）に、パッチ（３ｂ’）を連続接合させる。
右廻りの場合には、この箇所で、パッチ（３ａ’３ａ）に２分割した。
しかし、本左廻りの場合には、２分割せず、パッチ（３ｂ’）のみを、右側ヒップの外縁上部から、ヒップ中央下端へ向かって、下降した状態で縫合するのみとする。【００３３】  左廻りの場合には、（３ｂ）部分は、（２ｂ）に接合せず、下腹部背面で、パッチ（３ａ＋３ｂ）のダブルパッチ状態とせず、パッチ（３ｂ）を無くして、パッチ（３ａ）のみのシングルパッチ状態とする。
これ以後の左廻り巻き上げ行程でも、パッチ（４ａ＋４ｂ）・（５ａ＋５ｂ）・（６ａ＋６ｂ）のダブルパッチ状態の縫合は無く、右廻りの場合に縫合した、パッチ（４ａ）・（５ａ）・（６ａ）のみの、シングルパッチ状態とする。【００３４】  そして、左廻りの場合の最終巻き上げパッチ（７ｂ）は、右廻りの場合に縫合した、パッチ（６ａ）に接合して縫合する。
以上要するに、右廻り行程と左廻り行程で、交叉してダブルパッチ状態に縫合する箇所は、下腹部前面の交叉部分（２ａ＋２ｂ）のみとなる。
ダブルパッチ部分を１箇所に限定し、他のダブルパッチを、シングル状態にすることは、弾力性あるパッチ縫合による、巻き上げ圧力を、減少調整するためである。【００３５】  上記のごとく、本体裏側部分に、パッチを縫合した、本発明のボディスーツを、〔図１１乃至図１３〕に従って説明する。
〔図１１〕のボディスーツは、前身部のバスト部を覆うブラジャー部・腹部を覆うボディ部・後身部を覆うバック部・肩に掛けて着用するためのストラップから構成される。
なお、ボディ部とバック部の下端中央部には、突出した「股間片」があり、同所には「ホック」の様な締結具が取り付けられている〔図１１・図１２〕。【００３６】  本発明ボディスーツを着用することにより、適度なパッチの巻き上げ効果によって、上半身部の全体的な体型補整が行われ、又、快適な着用感を味わえる。
【図面の簡単な説明】
【００３７】
【図１】  本発明バンデージ・パッチ付ボディスーツを着用した状態での、正面立体図である。  斜線部分は、バンデージ・パッチが、本体生地裏側に縫合されている状態をしめしている。  斜線がクロスしている部分（２ａ＋２ｂ）・（４ａ＋４ｂ）・（６ａ＋６ｂ）は、パッチが二重になっているダブルパッチ状態（本体生地とは別に）を示している。
【図２】  本発明ボディスーツを着用した状態での、右斜側面立体図である。  斜線部分は、バンデージ・パッチを示し、斜線がクロスしている部分（２ａ＋２ｂ）・（４ａ＋４ｂ）・（５ａ＋５ｂ）・（６ａ＋６ｂ）は、パッチが二重になっているダブルパッチ状態（本体生地とは別に）を示している。  Ｂ１等白地部分は、ボディスーツの本体生地の部分（パッチが縫合されていない部分）を示している。
【図３】  本発明ボディスーツを着用した状態での、背面立体図である。  斜線部分は、バンデージ・パッチを示し、斜線がクロスしている部分（３ａ＋３ｂ）・（５ａ＋５ｂ）は、パッチが二重になっているダブルパッチ状態（本体生地とは別に）を示している。  Ｂ２・Ｅ白地部分は、ボディスーツの本体生地の部分（パッチが縫合されていない部分）を示している。  Ｄは、肩紐のストラップを示している。
【図４】  本発明ボディスーツを着用した状態での、左斜背面立体図である。  斜線部分は、バンデージ・パッチを示し、斜線がクロスしている部分、白地部分等は、〔図１乃至図３〕の場合と同様である。
【図５】  本発明ボディスーツを着用した状態での、右側面立体図である。  斜線部分・斜線がクロスしている部分・白地部分等は、〔図１乃至図４〕の場合と同様である。
【００３８】
【図６】  本図面は、〔図１〕と同じ図面で、本発明ボディスーツを着用した状態での、正面立体図である。  但し、〔図１〕で使用してある、斜線部分と斜線がクロスしている部分、つまりバンデージ・パッチがボディスーツ本体生地に縫合されている部分を、本図面中では白地で表現している。  また〔図１〕で、白地となっている部分は、本図面中では、黒地で表現してある。  本図面は、各パッチ（白地部分）の上半身部分「巻き上げ行程」を、各「矢印」で表現して、同行程を理解し易くしたものである。  同各「矢印」は、左右両方向からの「巻き上げ状態」を表現してある（右廻り＝１ａ〜７ａ・左廻り＝１ｂ〜７ｂの流れである）。
【図７】  本図面は、〔図２〕と同じ図面で、本発明ボディスーツを着用した状態での、右斜側面立体図である。  但し、本図面で使用してある、「白地部分」・「黒地部分」・「矢印」等の表現は、〔図６〕で説明したとおりである。
【図８】  本図面は、〔図３〕と同じ図面で、本発明ボディスーツを着用した状態での、背面立体図である。  但し、本図面で使用してある、「白地部分」・「黒地部分」・「矢印」等の表現は、〔図６〕で説明したとおりである。
【図９】  本図面は、〔図４〕と同じ図面で、本発明ボディスーツを着用した状態での、左斜背面立体図である。  但し、本図面で使用してある、「白地部分」・「黒地部分」・「矢印」等の表現は、〔図６〕で説明したとおりである。
【図１０】  本図面は、〔図５〕と同じ図面で、本発明ボディスーツを着用した状態での、右側面立体図である。  但し、本図面で使用してある、「白地部分」・「黒地部分」・「矢印」等の表現は、〔図６〕で説明したとおりである。
【００３９】
【図１１】  本図面は、本発明ボディスーツの製品を、平面上に広げた状態での図面である。  〔図１１〕は、正面図面である。
【図１２】  本図面は、本発明ボディスーツの製品を、平面上に広げた状態での図面である。  〔図１２〕は、正面図面である。  Ｆは、「股間片・締結具＝ホック」である。
【図１３】  本図面は、本発明ボディスーツの製品を、平面上に広げた状態での図面である。  〔図１３〕は、背面図面である。  Ｇは、ヒップライン調整の襞状の遊び部分である。
【００４０】
【図１４】  本図面は従前例による、「当て布」配布状態を示す図である。  「局部的当て布」の配布状態を示している。  〔図１４〕は、「公開特許公報」で、「特開２００１−２４５０４５」である。
【図１５】  本図面は従前例による、「当て布」配布状態を示す図である。  「局部的当て布」の配布状態を示している。  〔図１５〕は、「公開特許公報」で、「特開平７−２２９００２」である。
【図１６】  本図面は従前例による、「当て布」配布状態を示す図である。  「局部的当て布」の配布状態を示している。  〔図１６〕も、「公開特許公報」で、「特開平７−２２９００２」である。
【符号の説明】
【００４０】  １ａ＝ボディスーツ本体の右側廻りバンデージ・パッチで、ヒップ下部の部位の記号
２ａ＝ボディスーツ本体の右側廻りバンデージ・パッチで、下腹部前面の部位の記号
３ａ＝ボディスーツ本体の右側廻りバンデージ・パッチで、上腹部背面の部位の記号
４ａ＝ボディスーツ本体の右側廻りバンデージ・パッチで、上腹部前面の部位の記号
５ａ＝ボディスーツ本体の右側廻りバンデージ・パッチで、上腹部背面の部位の記号
６ａ＝ボディスーツ本体の右側廻りバンデージ・パッチで、バスト下端部の部位の記号
７ａ＝ボディスーツ本体の右側廻りバンデージ・パッチで、バスト背面部の部位の記号
１ｂ＝ボディスーツ本体の左側廻りバンデージ・パッチで、ヒップ下部の部位の記号
２ｂ＝ボディスーツ本体の左側廻りバンデージ・パッチで、下腹部前面の部位の記号
３ｂ＝ボディスーツ本体の左側廻りバンデージ・パッチで、上腹部背面の部位の記号
４ｂ＝ボディスーツ本体の左側廻りバンデージ・パッチで、上腹部前面の部位の記号
５ｂ＝ボディスーツ本体の左側廻りバンデージ・パッチで、上腹部背面の部位の記号
６ｂ＝ボディスーツ本体の左側廻りバンデージ・パッチで、バスト下端部の部位の記号
７ｂ＝ボディスーツ本体の左側廻りバンデージ・パッチで、バスト背面部の部位の記号
２ａ＋２ｂ＝バンデージ・パッチの右側廻り部分と左廻り部分が、下腹部前面で交叉する部分。
（３ａ＋３ｂ）＝ボディスーツ上腹部背面の部位で、左右両側廻りのバンデージ・パッチが、二重に重なって、ダブル状態となる部分。
（４ａ＋４ｂ）＝ボディスーツ上腹部前面の部位で、左右両側廻りのバンデージ・パッチが、二重に重なって、ダブル状態となる部分。
（５ａ＋５ｂ）＝ボディスーツ上腹部背面の部位で、左右両側廻りのバンデージ・パッチが、二重に重なって、ダブル状態となる部分。
（６ａ＋６ｂ）＝ボディスーツバスト下端部の部位で、左右両側廻りのバンデージ・パッチが、二重に重なって、ダブル状態となる部分。
Ａ＝本発明ボディスーツ本体部分。
Ｂ１＝ボディスーツ本体の内、上腹部前面で、バッチが縫合されていない、本体生地のみの部分。
Ｂ２＝ボディスーツ本体の内、腹部背面で、バッチが縫合されていない、本体生地のみの部分。
Ｃ＝ボディスーツ本体の内、バスト部分で、バッチが縫合されていない、本体生地のみの部分。
Ｅ＝ボディスーツ本体の内、ヒップ部分で、バッチが縫合されていない、本体生地のみの部分。
Ｄ＝肩掛けのストラップ。
Ｆ＝ボディスーツの「股間片・締結具＝ホック」。
Ｇ＝ヒップライン調整用の襞部分。
【図１】
2005179873.tif 000003
【図２】
2005179873.tif 000004
【図３】
2005179873.tif 000005
【図４】
2005179873.tif 000006
【図５】
2005179873.tif 000007
【図６】
2005179873.tif 000008
【図７】
2005179873.tif 000009
【図８】
2005179873.tif 000010
【図９】
2005179873.tif 000011
【図１０】
2005179873.tif 000012
【図１１】
2005179873.tif 000013
【図１２】
2005179873.tif 000014
【図１３】
2005179873.tif 000015
【図１４】
2005179873.tif 000016
【図１５】
2005179873.tif 000017
【図１６】
2005179873.tif 000018